(57)【要約】【課題】磁気ヘッドの付着物を確実に除去することができ、しかも、特段の装置を設けることなく行うことができるようにする。【解決手段】磁気テープ１の摺動によって記録または／および再生がなされる磁気ヘッド５を具備する磁気記録再生装置であって、テープテンション制御機構９を有し、このテープテンション制御機構９には、記録または／および再生時の定常状態における磁気テープテンションより、そのテープテンションを増加させる機構１８が設けられ、このテープテンション制御機構によって磁気テープテンションを増加させて磁気ヘッドの摺動面の付着物を排除して磁気ヘッドクロッギングの発生の回避もしくは磁気ヘッドの回復を行う。【選択図】        図１
2004164736.tif 000002
【特許請求の範囲】
【請求項１】
磁気テープが摺動して記録または／および再生がなされる磁気ヘッドに対し、記録または／および再生時の定常状態におけるより磁気テープテンションを増加させることによって磁気ヘッドの摺動面の付着物を排除してヘッドクロッギングの発生の回避もしくは磁気ヘッドの回復を行うことを特徴とする磁気ヘッドクロッギングの対処方法。
【請求項２】
上記磁気テープテンションの増加率を、上記定常状態における磁気テープテンションの１．２〜２．８倍に選定したことを特徴とする請求項１に記載の磁気ヘッドクロッギングの対処方法。
【請求項３】
上記磁気ヘッドのヘッドクロッギングの発生を検出し、この検出に基いて上記磁気テープテンションを増加させる動作を行うことを特徴とする請求項１または２に記載の磁気ヘッドクロッギングの対処方法。
【請求項４】
磁気テープに摺動して記録または／および再生がなされる磁気ヘッドを具備する磁気記録再生装置であって、
磁気テープのテープテンション制御機構を有し、
該テープテンション制御機構には、記録または／および再生時の定常状態における磁気テープテンションより、磁気テープテンションを増加させるテープテンション増加機構が設けられ、
該テープテンション制御機構によって磁気テープテンションを増加させて磁気ヘッドの摺動面の付着物を排除して磁気ヘッドクロッギングの発生の回避もしくは磁気ヘッドの回復を行うことを特徴とする磁気記録再生装置。
【請求項５】
上記磁気テープテンションの増加率を、上記定常状態における磁気テープテンションの１．２〜２．８倍に選定したことを特徴とする請求項４に記載の磁気記録再生装置。
【請求項６】
上記磁気ヘッドのヘッドクロッギングを検出する検出手段を設け、
該ヘッドクロッギング検出手段からのヘッドクロッギング検出信号によって上記テープテンション制御機構を制御させて上記磁気テープテンションの増加を行うことを特徴とする請求項４または５に記載の磁気記録再生装置。
【発明の詳細な説明】
【０００１】
【発明の属する技術分野】
本発明は、磁気テープとの摺接等によって磁気ヘッドおいて生じる、磁気テープの摩耗粉、塵埃の付着による磁気ヘッドクロッギングの発生の回避もしくは磁気ヘッドの回復を行う対処方法と磁気記録再生装置に係わる。
【０００２】
【従来の技術】
磁気テープと磁気ヘッドとの相対的摺動によって、記録、再生の少なくともいずれかを行う装置（単に磁気記録再生装置と呼称する。）においては、例えば塗布型磁気テープ、蒸着型磁気テープ等の磁気テープが、磁気ヘッド、そのほか各部との摺接によって発生した磁気テープの摩耗粉や塵埃を、磁気ヘッドとの摺接に際して、磁気ヘッド摺動面に付着させる、いわゆるヘッドクロッギングが生じる。
このヘッドクロッギングが生じると、磁気テープとの間のスペーシングロスが発生し、正常な記録、再生を阻害する。すなわち、再生出力の低下、ノイズ等の発生を来す。
【０００３】
そこで、磁気記録再生装置においては、時折、磁気テープに代えてクリーニングテープを走行させて磁気ヘッドの付着物の排除を行って、磁気ヘッドクロッギングからの回復作業を行う。
しかしながら、例えばカメラ付きビデオ記録再生装置におけるように、携帯する使用態様による場合、クリーニングテープを持ち歩くことは煩わしく、この方法による場合には問題がある。
【０００４】
一方、磁気ヘッドに対し、クリーニングロールを接触させる機構を具備する磁気記録再生装置がある（例えば特許文献１参照）。
しかしながら、この場合、クリーニングロールを磁気ヘッドに対して直接接触させたり、離間させたりする動作態様によることから、その配置位置に制約があり、また、その占有空間が大きくなることから、磁気記録再生装置の小型化、構造の簡潔化を阻害する。
【０００５】
【特許文献１】
特開平１０−２２２８２１号公報（図１および図１２）。
【０００６】
【発明が解決しようとする課題】
本発明においては、磁気ヘッドの付着物の除去、すなわち磁気ヘッドクロッギングを確実に除去することができ、しかも、特段の装置を設けることなく行うことができるようにして磁気ヘッドクロッギングの発生の回避もしくは磁気ヘッドの回復を行うことができる磁気ヘッドクロッギングの対処方法と磁気記録再生装置を提供するものである。
【０００７】
【課題を解決するための手段】
本発明による磁気ヘッドクロッギングの対処方法においては、磁気テープに摺動して記録または／および再生がなされる磁気ヘッドにおいて生じるヘッドクロッギングを、記録または／および再生時の定常状態におけるより磁気テープテンションを増加させることによって磁気ヘッドの摺動面の付着物を排除し、これによって磁気ヘッドクロッギングの発生を未然に防ぐ、すなわちクロッギングの発生を回避する。もしくはクロッギング発生後において、このクロッギングを消失して磁気ヘッドの回復を行うことができるようにする。
【０００８】
また、本発明は、磁気テープに摺動して記録または／および再生がなされる磁気ヘッドを具備する磁気記録再生装置であって、磁気テープのテンショを制御するテープテンション制御機構を有する。
このテープテンション制御機構には、記録または／および再生時の定常状態における磁気テープテンションより、磁気テープテンションを増加させる機構が設けられ、このテープテンション制御機構によって磁気テープテンションを上述した定常状態より増加させて磁気ヘッドの摺動面の付着物を排除する。
【０００９】
すなわち、本発明においては、磁気テープに摺動して記録または／および再生がなされる磁気ヘッドにおいて生じる磁気ヘッドの磁気テープとの摺動面における付着物が、この磁気ヘッドに対する磁気テープのテープテンションの選定によって、具体的には、記録、再生におけるテープ走行状態より大なるテープテンションとすることによって良好に除去されることを究明し、この究明に基いて、磁気ヘッドクロッギングの発生の回避もしくは磁気ヘッドの回復を図るものである。
【００１０】
【発明の実施の形態】
本発明は、例えばいわゆるヘリカル型の、８ミリビデオテープレコーダ、デジタルビデオテープレコーダ、ＡＩＴ（Ａｄｖａｎｃｅ  Ｉｎｔｅｒｉｇｅｎｔ  Ｔａｐｅ  Ｒｅｃｏｄｅｒ）  等の各種磁気記録再生装置に適用することのできる磁気ヘッドクロッギングの対処方法と磁気記録再生装置である。
【００１１】
本発明による磁気ヘッドクロッギングの対処方法は、磁気テープに摺動して記録または／および再生がなされる磁気ヘッドにおいて生じるヘッドクロッギングを、記録または／および再生時の定常状態におけるより磁気テープテンションを一時的に増加させることによって磁気ヘッドの摺動面の付着物を排除するものである。
【００１２】
本発明による磁気記録再生装置の一実施形態を図面を参照して説明する。図１は、磁気記録再生装置の概略構成を示す斜視図で、図２は、そのテープテンション制御機構の構成図、図３は、その斜視図である。しかしながら、本発明は、この実施形態に限定されるものではない。
【００１３】
この磁気記録再生装置においては、ヘリカル型回転磁気ヘッドによる８ミリビデオテープレコーダに適用した場合で、図１に示すように、磁気テープ１が、例えばテープカセット２内の供給側リール３から繰り出されて巻取り側リール４に巻き取られるようになされている。
そして、その磁気テープ１の移行途上において、磁気ヘッド５を有する磁気ヘッド装置６、この例においては、回転磁気ヘッド装置のテープ案内ドラム７の周囲を、たすき掛けに巡るように走行案内される。
テープ案内ドラム７は、同軸心上配置された上部回転ドラム７Ａと下部固定ドラム７Ｂとを有し、回転ドラム７Ａの周面に臨んで、この回転ドラムと一体に、回転磁気ヘッド５が回転するようになされている。
【００１４】
供給側リール３から繰り出される磁気テープ１は、複数のガイドピン８によって案内されて回転磁気ヘッド装置６に向かうようになされている。
この磁気テープ１の繰出し部と、磁気ヘッド装置６との磁気テープ１の走行途上に関連してテープテンション制御機構９が配置される。
このテープテンション制御機構９は、磁気記録再生装置で用いられる場合がある磁気テープ１のテープテンションを一定に設定するための磁気テープのテンションレギュレーションを兼ねた構造とすることができる。
すなわち、本発明装置におけるテープテンション制御機構９においては、記録、再生時において、そのテープテンションを、記録、再生に適した、すなわち磁気ヘッドと良好な当たりが得られる一定のテープテンション、すなわち定常状態のテープテンションが得られるようにするものであるが、更に、このテープテンションより高い、テープテンションが得られる機能を有する機構とする。
【００１５】
図２および図３は、この場合の一例を示す。この例においては、例えば上述したテープカセットを、磁気記録再生装置のカセット装着部に装着した状態で、供給側リールのハブの中心孔に嵌合されるリール軸の端部に、このリール軸と回転的に一体に、ブレーキドラム１１が設けられる。
そして、このブレーキドラム１１の周面を巡って、一端が固定部１２に固定された例えばスチールからなるブレーキバンド１３が配置される。
【００１６】
一方、ブレーキドラム１３の軸心と平行な回転軸１４によって回転自在に支持されたテープテンションアーム１５が設けられる。このテープテンションアーム１５の回転軸１４を挟んでその一端にブレーキバンド１３が連結され、他端に、磁気テープ１の一方の面例えば磁性層を有する側とは反対側に接するテンションガイドピン１６が回転軸と平行に配置される。
【００１７】
そして、例えば回転軸１４の配置位置よりガイドピン１６が配置された側に、弾性偏倚体、例えば引っ張りばね１７が係止されて、この引っ張りばね１７によって、テープテンションアーム１５を、一方の回転方向に（図２においては、反時計方向に）回転するような弾性偏倚力を与える。すなわち、この例では、引っ張りばね１７によって、テープテンションアーム１５を、そのガイドピン１６が、磁気テープ１のその走行経路を長くする方向に移動する力が与えられ、また、ブレーキバンド１３を、ブレーキドラム１１を締めつける方向に作用させる。
【００１８】
そして、本発明においては、積極的にテープテンションを増加することができる機能を持たしめるものである。
すなわち、テープテンション制御機構において、この定常の磁気テープテンションの設定機能と共に、磁気テープテンションを増加させるテープテンション増加機構１８が設けられる。
このテープテンション増加機構１８としては、例えば通電によって進退移動する移動杆１９を有する例えば電磁アクチュエータ、電磁プランジャ等によって構成することができる。この場合、テープテンション増加機構１８の移動杆１９に、引っ張りばね１７の遊端を係止する。移動杆１９の移動方向は、引っ張りばね１７の作用方向の線上にあるように配置される。このようにして、移動杆１９の移動位置によって引っ張りばね１７のばねの力、すなわち偏倚力の調整を行うことができるようにする。
【００１９】
また、一方、ヘッドクロッギングの検出手段２０を設ける。この検出手段２０は、例えば磁気ヘッド５からの再生出力の再生系２１を用いて、再生時、あるいは記録時の再生レベル、ノイズレベル等を検出して磁気ヘッドクロッギングの検出信号を得、これによってテープテンション増加機構１８を駆動する駆動回路２３に入力する構成とすることができる。
【００２０】
そして、この検出信号に基いて、テープテンション増加機構１８を制御する。例えば検出信号によって、テープテンション増加機構１８を構成する電磁アクチュエータ、電磁プランジャ等への通電もしくは停止を行って、移動杆１９を、図２において、右側に移動させる動作を行わしめる。そして、ヘッドクロッギングの検出がなされなくなった時点で、テープテンション増加を停止する。
【００２１】
このような構成において、常態においては、移動杆１９が所定位置、例えば上述したプランジヤー、あるいはアクチュエータが非動作状態にあって、引っ張りばね１７は、所定の偏倚力に設定される。
そして、このとき、磁気テープ１の張力と、ばね１７とが、状態において求められるテープテンション、例えば再生、記録時における適正のテープテンションで、バランスしており、テープテンションが何らかの原因で、変動したとき、例えばテープテンションが強まるとき、テープテンションアーム１５が、ばね１７の偏倚力に抗して、図２において、反時計方向に回動することによって、磁気テープ１の経路が短くなると同時に、ブレーキが弱められて供給側リール２からの磁気テープ１の繰り出しに対する抗力、すなわち回転トルクが小となることから、テープテンションが小となる方向に作用する。
【００２２】
このようにして、常態においては、ばね１７とテープテンションとのバランスによって所定のテープテンション例えば８ミリビデオテープレコーダにおいては、７ｇｒ程度のテープテンションで、上述したバランスが保たれるように設定される。
因みに、既存の磁気記録再生装置に付設されているテープテンション制御機構においては、このような、記録、再生状態において適正のテープテンションに設定する機能を有するものであり、この一定のテープテンションよりテープテンションが増加することを回避する動作を行うものである。
【００２３】
これに対し、本発明においては、積極的にテープテンションを増加することができる機能を持たしめるものである。
すなわち、本発明においては、上述したように、移動杆１９の移動位置によって引っ張りばね１７のばねの力、すなわち偏倚力の調整を行うことができるようにする。
上述の構成においては、ヘッドクロッギング検出手段２０によって、磁気ヘッド５においてヘッドクロッギングが生じたことが検出されると、この検出信号によって、テープテンション増加機構の、プランジャーあるいはアクチュエータが例えば動作状態となり、その移動杆１９が、ばね１７の引っ張り力を強める方向に作用し、これによってテンションアームが動作し、テープ１の走行経路を長くし、かつブレーキを強め、テープテンションを増加させる。このようにすることによって磁気ヘッドの付着物が除去されクロッギングの発生の回避ないしは磁気ヘッドが回復される。
すなわち、通常の記録、再生等の動作状態においては、これら記録、再生に適正なテープテンションが得られるように、ばね１７の偏倚力が設定されるものであるが、本発明においては、磁気ヘッドの付着物の排除を必要とするときに、このテープテンションを増加させるように、引っ張りばね１７のばねを強める。
【００２４】
上述の構成においては、ばねと磁気テープのテンションとのバランスからの変動によるテープテンションアームの回動によって磁気テープ５の供給側リール２に対するブレーキ調整を行ってテープテンションを選定するいわば機械的フィードバックによる構成とした場合であるが、テープテンションアーム１５の位置を検出して、その検出信号によって、磁気テープ５の供給側リール２に対するブレーキの調整を行う構成とすることもできる。
図４は、この場合のテープテンション制御装置の一例の概略構成図で、図４において、図２と対応する部分には同一符号を付して重複説明を省略する。
この例では、ブレーキバンド１３の遊端に、ブレーキ制御機構２９を設けた場合である。この場合においても、制御機構２９は、例えば電磁プランジャー、電磁アクチュエータ等によって構成し、その移動杆３０を、ブレーキバンド１３の遊端に連結する構成とすることができる。
そして、テープテンションアーム１５に弾性偏倚体の引っ張りばね１７が係合されて、テープテンションと引っ張りばねとが釣り合う状態で、磁気テープに上述した所要の定常のテープテンションが得られるようになされる。
そして、テープテンションアーム１５には、位置検出器２２が配置される。この位置検出器２２によって、テープテンション１５の回動位置、すなわち引っ張りばね１７の伸び量を測定することができる。すなわち、この伸び量によって、ばねの力、すなわちテープテンションを知ることができる（ばね力＝ばねの伸び量×ばねのヤング率）。
【００２５】
位置検出器２２は、光学的、あるいは電気的例えば静電的にテープテンションアーム１５の位置に応じて電気的出力が取り出される検出器を用いることができる。例えば、テープテンションアーム１５と、固定部とに、互いにテープテンションアーム１５の移動によって、相対的に移動する固定子２２Ｓと、移動子２２Ｍとを有し、その一方に例えば発光素子を、他方に受光素子例えばフォトダイオードが配置され、両者の相対的移動によって、受光素子における、受光、非受光状態を生じる光スイッチ素子構成とすることができる。この受光によって発生した検出電流によって、上述した制御機構２９を動作させる構成とし、上述した磁気テープ５の供給側リール２に対するブレーキの調整、したがって、磁気テープテンションの制御を行う。
【００２６】
そして、この場合は、ブレーキ制御機構２９をもって、テープテンション増加機構１８を兼ねることができる。すなわち、この場合、上述したヘッドクロッギング検出手段２０からの検出信号によって、ブレーキ制御機構２９を制御して、ブレーキを強めてテープテンションを増加させる。
【００２７】
上述したテープテンション増加機構１８およびブレーキ制御機構２９は、上述した電磁プランジャー、電磁アクチュエータ等のほかに、例えば電動モータによって構成するとか、圧電素子構成とするとか種々の構成を採ることができる。
【００２８】
また、上述した例では、磁気テープの走行途上に、テープテンション制御機構が配置された構成による場合であるが、このように磁気テープの走行途上に配置されない構造を採ることができる。例えば、磁気テープの供給側リール３と巻き取り側リール４との線速度の差によってテープテンションを制御する機構によることもでき、この場合においては、この設定テープテンションを、上述した定常状態と、増加させた状態の２値に選定することによって、すなわち供給側リール３と巻き取り側リール４との線速度の差を２種設定することができる構成とすれば良い。
【００２９】
また、上述した例では、ヘッドクロッギングを検出して、これに応じて磁気テープテンションを自動的に増加させる構成としたが、このヘッドクロッギングの検出は、記録再生動作の本来の動作を行っていない時に検出することができるようにして、これによって磁気テープテンションを一次的に増加させるようにすることができる。
あるいは、このようなヘッドクロッギング検出手段を設けることなく、所要の使用時間経過毎、例えば１〜１０時間の範囲で機種に適した時間毎に、自動的に磁気テープテンションを一時的に増加させるようにすることもできる。
そして、この時間の計数は、例えばドラム回転総時間の記録を利用することができる。
このようにするときは、ヘッドクロッギングの発生を未然に防ぐことができる。すなわち、ヘッドクロッギングの発生を回避できるものである。
【００３０】
また、ヘッドクロッギングが発生した場合に、ランプ表示、インジケータ表示、ディスプレー表示等によって、これを知らせる機能を有する磁気記録再生装置構成とし、これによって、使用者がヘッドクロッギングが発生したことを判知したときに、上述したテープテンション増加機構１８を例えば手動で、スイッチのオン等によって動作させ、一時的にテープテンションの増加を行うようにすることもできる。
【００３１】
更に、本発明方法および装置によってテープテンションの増加を行っても、ヘッドクロッギングが十分に解消されない状態にあっては、装置に、クリーニングテープを使用すべきメッセージを表示させる機能を具備させることができる。
【００３２】
上述したように、本発明においては、磁気テープテンションの増加によって、磁気ヘッドの付着物の排除を行うものであるが、これは、テープテンションを増加させることによって、磁気ヘッドの磁気テープの摺動面に対する擦り力が大きくなることによってヘッドの付着物が排除されるものと考えられる。
【００３３】
図５は、磁気テープテンションの増加率、すなわち磁気テープテンションの定常状態、つまり、記録、再生時において設定される本来の磁気テープテンションに対する増加率（横軸）と、これに対する再生出力（左側縦軸）との関係の測定結果（白丸プロットによる曲線５１）と、スティル耐久性（右側縦軸）との関係の測定結果（黒丸プロット曲線５２）を示したものである。
この場合、再生出力は、ヘッドクロッギングが発生する前、すなわち磁気ヘッドの使用直後の再生出力を０ｄＢとして規格化したものである。
また、スティル耐久性は、ヘッドクロッギングしていない状態で、磁気テープをスンバイ状態、すなわちポーズ状態とし、磁気テープの同一箇所を繰り返し磁気ヘッド走査、すなわち擦って、ヘッド出力が、６ｄＢ減少するまでに要した時間で定義した。
これによれば、ヘッドクロッギングの発生の回避ないしは磁気ヘッドの回復に関しては、テープテンションの増加率を、１．２以上とすれば良いことが分かる。しかしながら、磁気テープの損耗、すなわちスティル耐久性から、テープテンションの増加率は２．８に止めることが望ましいことが分かる。
したがって、本発明方法および装置においては、付着物の排除すなわち磁気ヘッドクロッギングの回避ないしは回復、すなわちは、テープテンションの増加率を１．２〜２．８によって行うことが望ましいことが分かる。
【００３４】
尚、上述した例では、ヘリカル型構成の８ミリビデオテープレコーダに適用した場合であるが、他の磁気テープと磁気ヘッドとが摺動する構成による各種磁気記録装置に適用し得ることは、明らかであり、図５で示した、磁気テープテンションの増加率と、再生出力およびスティル耐久性についても、同様の結果が生じた。
【００３５】
上述したように、本発明によれば、ヘッドクロッギングを、単にテープテンションの増加によって回避もしくは磁気ヘッドの回復することができることから、これを実現する本発明による磁気記録再生装置においては、従前用いられていたテープテンションの制御機構を一部改善もしくは一部の機能を付加するのみで、ヘッドクロッギングの問題の解決を図ることができるものである。
【００３６】
【発明の効果】
上述したように、本発明は、磁気テープに摺動して記録または／および再生がなされる磁気ヘッドにおいて生じる磁気ヘッドの磁気テープとの摺動面における付着物を、磁気ヘッドに対する磁気テープのテープテンションの選定によって、具体的には、記録、再生におけるテープ走行状態より大なるテープテンションによって良好に除去されることを究明し、この究明に基いて、磁気ヘッドクロッギングの発生の回避もしくは磁気ヘッドの回復を図るものである。
【００３７】
そして、磁気記録再生装置において、このテープテンションの増加機構は、従前用いられていたテープテンションの制御機構を一部改善もしくは一部の機能を付加するのみで、ヘッドクロッギングの問題の解決を図ることができるものであることから、その製造組み立ては、容易であり、さほど複雑化や、大型化、コスト高を来すことがない。
【００３８】
また、クリーニングロールを、磁気ヘッドに接触するように配置する場合に比し、場所的制約が緩やかであり、設計が容易となる。更に、磁気ヘッド装置が、回転磁気ヘッド装置である場合、すなわちヘリカル型構成による場合、クリーニングロールの配置位置の設定に精度を要するなどの問題があるが、このような問題も回避できる。
【００３９】
更に、クリーニングテープの使用が、必ずしも要さないことから、携帯化に有利となるなどの多くの利点を有する。
【図面の簡単な説明】
【図１】本発明による磁気記録再生装置の一例の概略斜視図である。
【図２】本発明装置のテープテンション制御装置の一例の概略構成図である。
【図３】本発明装置のテープテンション制御装置の一例の斜視図である。
【図４】本発明装置のテープテンション制御装置の他の例の概略構成図である。
【図５】磁気テープテンションの増加率と、再生出力およびスティル耐久性との関係の測定結果を示す図である。
【符号の説明】
１・・・磁気テープ、２・・・テープカセット、３・・・供給側リール、４・・・巻き取り側リール、５・・・磁気ヘッド、６・・・磁気ヘッド装置、７・・・テープ案内ドラム、７Ａ・・・上部回転ドラム、７Ｂ・・・下部固定ドラム、８・・・ガイドピン、９・・・テープテンション制御機構、１０・・・リール軸、１１・・・ブレーキドラム、１２・・・固定部、１３・・・ブレーキバンド、１４・・・回転軸、１５・・・テープテンションアーム、１６・・・テンションガイドピン、１７・・・引っ張りばね、１８・・・テープテンション増加機構、１９・・・移動杆、２０・・・ヘッドクロッギング検出手段、２１・・・再生系、２２・・・位置検出器、２２Ｓ・・・固定子、２２Ｍ・・・移動子、２３・・・駆動回路、２９・・・ブレーキ制御機構、
【図１】
2004164736.tif 000003
【図２】
2004164736.tif 000004
【図３】
2004164736.tif 000005
【図４】
2004164736.tif 000006
【図５】
2004164736.tif 000007